(57)【要約】【課題】天面に掛かる荷重によって天面が凹んでしまうことを抑制した梱包箱を提供することを目的とする。【解決手段】内フラップ５は、側壁３ａの上端に連設されて内側に向けて折り曲げられた第１折り曲げ部５ａと、第１折り曲げ部５ａに連設されて第１折り曲げ部の下面に沿うように外側に向けて折り曲げられた第２折り曲げ部５ｂと、第２折り曲げ部５ｂに連設されて側壁３ａの内面に沿うように下方に向けて折り曲げられた第３折り曲げ部５ｃと、によって構成される。【選択図】図２
2019018891.tif 000002
【特許請求の範囲】
【請求項１】
板材によって構成された直方体状の梱包箱であって、
２組の対向した側壁と、
前記側壁の下方を塞ぐ底壁と、
一方の対向した前記側壁の上端に連設された一対の内フラップと、
他方の対向した前記側壁の上端に連設された一対の外フラップと、
を備えており、
内側に向けて折り曲げられた前記内フラップの上方側において前記外フラップが内側に向けて折り曲げられることで、前記側壁の上方が塞がれ、
前記内フラップは、前記側壁の上端に連設されて内側に向けて折り曲げられる第１折り曲げ部と、前記第１折り曲げ部に連設されて前記第１折り曲げ部の下面に沿うように外側に向けて折り曲げられる第２折り曲げ部と、前記第２折り曲げ部に連設されて前記側壁の内面に沿うように下方に向けて折り曲げられる第３折り曲げ部と、を有する梱包箱。
【請求項２】
上端に前記内フラップが連設された前記側壁には、前記梱包箱を持ち上げるときに手を挿入可能となるように前記側壁を貫通した把持穴が形成されており、
前記内フラップの前記第３折り曲げ部には、前記側壁の内面に沿うように下方に向けて折り曲げられた状態において前記側壁の前記把持穴と重なる位置に貫通穴が形成される請求項１に記載の梱包箱。
【請求項３】
前記一対の外フラップは、内側に向けて折り曲げられた状態において互いに嵌合して前記側壁の上方を塞いだ状態を維持することが可能な嵌合手段を有する請求項１又は２に記載の梱包箱。
【発明の詳細な説明】
【技術分野】
【０００１】
本発明は、被梱包物の搬送や、保管を行なう際の梱包資材として使用される梱包箱に関する。
【背景技術】
【０００２】
板材として例えば段ボールを用いた直方体の梱包箱は、一般的に、四面ある側面のうち一方の対向した側面の上端から上方に延びた内フラップと、他方の対向した側面の上端から上方に延びた外フラップと、を備えており、梱包箱内に梱包物を収納した後に内フラップを内側に折り込み、内側に折り込んだ内フラップの上面に外フラップを重ねるように折り込むことで、梱包箱の天面を閉じる。
【０００３】
梱包箱の天面をしっかりと封かんする方法としては、粘着テープを用いて２つの外フラップを貼付する方法であったり、引用文献１のようにそれぞれの外フラップに嵌合手段を設けて外フラップ同士を係合させることで封かんする方法であったりが知られている。
【先行技術文献】
【特許文献】
【０００４】
【特許文献１】実公昭６２−３１３８５号公報
【発明の概要】
【発明が解決しようとする課題】
【０００５】
梱包物を梱包した梱包箱を複数積み重ねて保管した際、上方に梱包箱が積み重ねられた下方の梱包箱の天面には大きな荷重が掛かってしまう。これにより、梱包箱の天面を構成する外フラップおよび内フラップが荷重によって下方に凹んでしまうおそれがある。
【０００６】
特に、引用文献１のような差込による嵌合手段によって天面を封かんする梱包箱においては、外フラップや内フラップが下方に凹んでしまうと、目的の嵌合力を確保することができないおそれがある。
【０００７】
本発明は、上述した問題を解決するためになされたものであり、天面に掛かる荷重によって天面が凹んでしまうことを抑制した梱包箱を提供することを目的とする。
【課題を解決するための手段】
【０００８】
本発明の一態様に係る梱包箱は、板材によって構成された直方体状の梱包箱であって、２組の対向した側壁と、前記側壁の下方を塞ぐ底壁と、一方の対向した前記側壁の上端に連設された一対の内フラップと、他方の対向した前記側壁の上端に連設された一対の外フラップと、を備えており、内側に向けて折り曲げられた前記内フラップの上方側において前記外フラップが内側に向けて折り曲げられることで、前記側壁の上方が塞がれ、前記内フラップは、前記側壁の上端に連設されて内側に向けて折り曲げられる第１折り曲げ部と、前記第１折り曲げ部に連設されて前記第１折り曲げ部の下面に沿うように外側に向けて折り曲げられる第２折り曲げ部と、前記第２折り曲げ部に連設されて前記側壁の内面に沿うように下方に向けて折り曲げられる第３折り曲げ部と、を有する。
【０００９】
この構成によれば、外フラップを下方から支える内フラップの強度を向上させることができるため、梱包箱の天面である外フラップに掛かる荷重によって外フラップが凹んでしまうことを抑制することができる。
【００１０】
本発明の一態様に係る梱包箱において、好ましくは、上端に前記内フラップが連設された前記側壁には、前記梱包箱を持ち上げるときに手を挿入可能となるように前記側壁を貫通した把持穴が形成されており、前記内フラップの前記第３折り曲げ部には、前記側壁の内面に沿うように下方に向けて折り曲げられた状態において前記側壁の前記把持穴と重なる位置に貫通穴が形成される。
【００１１】
この構成によれば、部材を追加することなく把持穴の強度を向上させることができ、把持穴に手を挿入して梱包箱を持ち上げたときに把持穴が破れてしまうことを抑制することができる。
【００１２】
本発明の一態様に係る梱包箱において、好ましくは、前記一対の外フラップは、内側に向けて折り曲げられた状態において互いに嵌合して前記側壁の上方を塞いだ状態を維持することが可能な嵌合手段を有する。
【００１３】
この構成においては、梱包箱の天面である外フラップに掛かる荷重によって外フラップもしくは内フラップが凹んでしまうと、嵌合手段による一対の外フラップの嵌合力が弱まってしまうおそれがある。しかし、本発明によって外フラップおよび内フラップが凹んでしまうことを抑制することができるため、一対の外フラップの嵌合力が弱まってしまうことを抑制することができる。
【発明の効果】
【００１４】
本発明の梱包箱によれば、天面に掛かる荷重によって天面が凹んでしまうことを抑制することができる。
【図面の簡単な説明】
【００１５】
【図１】本発明の一実施形態に係る梱包箱の側壁の上方を開放した状態を示す上方斜視図である。
【図２】本発明の一実施形態に係る本発明の一実施形態に係る梱包箱の内フラップを折り曲げた状態を示す上方斜視図である。
【図３】本発明の一実施形態に係る梱包箱の外フラップ同士を嵌合する様子を示す上方斜視図である。
【図４】本発明の一実施形態に係る梱包箱の側壁の上方を塞いだ状態を示す上方斜視図である。
【発明を実施するための形態】
【００１６】
以下、本発明の実施の形態について添付図面を参照しながら説明する。なお、各図面中、同様の構成要素には同一の符号を付して詳細な説明は適宜省略する。
【００１７】
＜梱包箱の構成＞
まず、図１〜４を参照して、本発明の実施形態に係る梱包箱について説明する。図１は、本発明の一実施形態に係る梱包箱の側壁の上方を開放した状態を示す上方斜視図である。図２は、本発明の一実施形態に係る梱包箱の内フラップを折り曲げた状態を示す上方斜視図である。図３は、本発明の一実施形態に係る梱包箱の外フラップ同士を嵌合する様子を示す上方斜視図である。図４は、本発明の一実施形態に係る梱包箱の側壁の上方を塞いだ状態を示す上方斜視図である。
【００１８】
図１乃至図４に示すように、本発明の一実施形態に係る梱包箱１は、板材である１枚の段ボールを切断したものを組み立てることで直方体状に製造されるものであり、２組の対向した側壁３と、側壁３の下方を塞ぐ底壁４と、側壁３の一方の対向した側壁３ａの上端に連設された一対の内フラップ５と、他方の対向した側壁３ｂの上端に連設された一対の外フラップ７と、を備えている。
【００１９】
側壁３により形成された上端開口１８は、上面視にて長方形形状となっており、内フラップ５は短辺を構成する対向した側壁３ａの上端に連設されており、外フラップ７は長辺を構成する対向した側壁３ｂの上端に連設されている。内側に向けて折り曲げられた内フラップ５の上方側において外フラップ７が内側に向けて折り曲げられることで、側壁３により形成された上端開口１８が塞がれる。
【００２０】
側壁３ａの上端には折れ線Ａが設けられ、内フラップ５の途中には、折れ線Ａと平行となるように折れ線Ｂと折れ線Ｃが設けられている。
【００２１】
内フラップ５を組み立てる際は、図２に示すように、折れ線Ａを山折で略直角折り曲げ、折れ線Ｂを山折で略１８０度折り曲げ、折れ線Ｃを谷折で略９０度折り曲げる。
これにより、内フラップ５は、側壁３ａの上端に連設されて内側に向けて折り曲げられた第１折り曲げ部５ａと、第１折り曲げ部５ａに連設されて第１折り曲げ部の下面に沿うように外側に向けて折り曲げられた第２折り曲げ部５ｂと、第２折り曲げ部５ｂに連設されて側壁３ａの内面に沿うように下方に向けて折り曲げられた第３折り曲げ部５ｃと、によって構成されることとなる。
【００２２】
内フラップ５の第３折り曲げ部５ｃは、下方に向けて折り曲げられた状態において他方の対向した側壁３ｂの間に嵌まり込んでおり、これにより内フラップ５の組み立て状態がしっかりと維持される。
なお、内フラップ５の組み立て状態を維持する方法としてはこれに限らず、側壁３ａの内面に対して第３折り曲げ部５ｃを接着したり貼付したりする方法でもよい。
【００２３】
また、側壁３ａには、梱包箱１を持ち上げるときに手を挿入可能となるように側壁３ａを貫通した把持穴１１が形成されており、内フラップ５の第３折り曲げ部５ｃには、第３折り曲げ部５ｃが側壁３ａの内面に沿うように下方に向けて折り曲げられた状態において側壁３ａの把持穴１１と重なる位置に貫通穴１５が形成されている。
【００２４】
一対の外フラップ７は、外フラップ７が内側に向けて折り曲げられた状態において互いに嵌合して側壁３により形成された上端開口１８を塞いだ状態を維持することが可能な嵌合手段２０を有する。
具体的には、図３に示すように、一方の外フラップ７の長辺の中央部に設けられた挿し込み片２１を、他方の外フラップ７の長辺の中央部に設けられた被挿し込み片２３の下に潜らせるように挿し込むことで、一対の外フラップ７が互いに嵌合する。なお、挿し込み片２１には、切り欠き線Ｙが設けられているため、挿し込み片２１を被挿し込み片２３の下に挿し込み易く、且つ、外フラップ７同士が嵌合している状態において切り欠かれた部分を引っ張り上げることで容易に嵌合状態を解除することができる。
【００２５】
上述したように、内フラップ５の折り曲げ工程、および外フラップ７の嵌合工程を行なうことで、図４に示すように梱包箱１の組み立て作業が完了する。
【００２６】
＜作用効果＞
次に、本実施形態における梱包箱の作用効果を説明する。
【００２７】
本実施形態において、内フラップ５は、側壁３ａの上端に連設されて内側に向けて折り曲げられた第１折り曲げ部５ａと、第１折り曲げ部５ａに連設されて第１折り曲げ部の下面に沿うように外側に向けて折り曲げられた第２折り曲げ部５ｂと、第２折り曲げ部５ｂに連設されて側壁３ａの内面に沿うように下方に向けて折り曲げられた第３折り曲げ部５ｃと、によって構成される。これにより、外フラップ７を下方から支える内フラップ５の強度を向上させることができるため、梱包箱１の天面である外フラップ７に掛かる荷重によって外フラップ７が凹んでしまうことを抑制することができる。
【００２８】
また、側壁３ａには、梱包箱１を持ち上げるときに手を挿入可能となるように側壁３ａを貫通した把持穴１１が形成されており、内フラップ５の第３折り曲げ部５ｃには、第３折り曲げ部５ｄが側壁３ａの内面に沿うように下方に向けて折り曲げられた状態において側壁３ａの把持穴１１と重なる位置に貫通穴１５が形成されている。これにより、部材を追加することなく把持穴１１の強度を向上させることができ、把持穴１１に手を挿入して梱包箱１を持ち上げたときに把持穴１１が破れてしまうことを抑制することができる。
【００２９】
また、一対の外フラップ７は、外フラップ７が内側に向けて折り曲げられた状態において互いに嵌合して側壁３により形成された上端開口１８を塞いだ状態を維持することが可能な嵌合手段２０を有する。この構成においては、梱包箱１の天面である外フラップ７に掛かる荷重によって外フラップ７もしくは内フラップ５が凹んでしまうと、嵌合手段２０による一対の外フラップ７の嵌合力が弱まってしまうおそれがある。しかし、前述した実施形態により外フラップ７および内フラップ５が凹んでしまうことを抑制することができるため、一対の外フラップ７の嵌合力が弱まってしまうことを抑制することができる。
【００３０】
前述した各実施の形態が備える各要素は、技術的に可能な限りにおいて組み合わせることができ、これらを組み合わせたものも本発明の特徴を含む限り本発明の範囲に包含される。
【符号の説明】
【００３１】
１        梱包箱
３        側壁
３ａ      （一方の対向した）側壁
３ｂ      （他方の対向した）側壁
４        底壁
５        内フラップ
５ａ      第１折り曲げ部
５ｂ      第２折り曲げ部
５ｃ      第３折り曲げ部
７        外フラップ
１１      把持穴
１５      貫通穴
１８      上端開口
２０      嵌合手段
２１      挿し込み片
２３      被挿し込み片
Ａ        折れ線
Ｂ        折れ線
Ｃ        折れ線
Ｘ        折れ線
Ｙ        切り欠き線
【図１】
2019018891.tif 000003
【図２】
2019018891.tif 000004
【図３】
2019018891.tif 000005
【図４】
2019018891.tif 000006